(57)【要約】【課題】被包管の結合部等に防食スリーブを巻き付ける作業（新設の鋳鉄管（被包管）に防食スリーブを巻き付ける場合、既設の鋳鉄管（被包管）を除去し新設の鋳鉄管（被包管）に防食スリーブを巻き付ける場合等）の作業性の向上を可能とする防食スリーブを提供する。【解決手段】防食スリーブ１０は、内部を流体が通過可能な被包管の外側表面を包む防食スリーブ１０であって、防食スリーブ１０は、水分を透過しない材料で形成され、防食スリーブ１０には、他の部分よりも分割が容易な分割部１１が形成され、分割部１１は、被包管の延在する方向に延在する様に形成されている。【選択図】図１
2015117710.tif 000002
【特許請求の範囲】
【請求項１】
内部を流体が通過可能な被包管の外側表面を包む防食スリーブであって、
前記防食スリーブは、水分を透過しない材料で形成され、
前記防食スリーブには、他の部分よりも分割が容易な分割部が形成され、
前記分割部は、前記被包管の延在する方向に延在する様に形成されている
防食スリーブ。
【請求項２】
前記防食スリーブには、互いが接合していない離間部が形成されており、
前記離間部は、前記被包管の延在する方向に延在するように形成されている
請求項１に記載の防食スリーブ。
【請求項３】
前記分割部と前記離間部とは、前記被包管の延在する方向に連続して形成されている
請求項２に記載の防食スリーブ。
【請求項４】
内部を流体が通過可能な被包管の外側表面を包む防食スリーブであって、
前記防食スリーブは、水分を透過しない材料で形成され、
前記防食スリーブには、互いが接合していない離間部が形成されており、
前記離間部は、前記被包管の延在する方向に伸びている
防食スリーブ。
【請求項５】
前記防食スリーブは、前記防食スリーブを広げた際の周方向の半周分の長さよりも、短くなるような幅となる形状に形成されている
請求項１〜４いずれか１項に記載の防食スリーブ。
【請求項６】
前記防食スリーブには、折り目が形成されており、
前記折り目において折りたたむことによって、前記防食スリーブを広げた際の周方向の半周分の長さよりも、短くなるような幅となる形状に形成されている
請求項５に記載の防食スリーブ。
【請求項７】
被包管を前記防食スリーブによって包み込む際に互いの端側の部分を密接して、水の浸入を防止することが可能な密接部を有する
請求項１〜６いずれか１項に記載の防食スリーブ。
【請求項８】
前記密接部による密接は、ファスナー、面ファスナー、両面テープ、接着剤、マグネットによってなされる
請求項７に記載の防食スリーブ。
【発明の詳細な説明】
【技術分野】
【０００１】
本発明は、地中に埋設される水道管等の浸食対策として、当該水道管等の外表面に巻き付けられる防食スリーブに関するものである。
【背景技術】
【０００２】
従来、地中に埋設される水道管やガス管（以下、「被包管」という。）が、地中に存在する水分等の影響により、被包管の外表面が浸食する可能性があるといった問題があった。このため、被包管を地中に埋設する前に、浸食を防止するスリーブ（以下、「防食スリーブ」という。）を被包管に巻き付けて施工する対策が施されている。
【０００３】
防食スリーブは、管径サイズの異なる様々な被包管に対応して、サイズの異なる多くの種類が既に用いられている。そのため、被包管に防食スリーブを巻き付けるユーザは、被覆される被包管のサイズを確認した上で、サイズの見合った防食スリーブを適宜選択し、巻き付け作業を行う。
【０００４】
そして、防食スリーブを被包管の表面にフィットさせるため、ユーザは、手作業で防食スリーブの弛みを抑えるように被包管の表面に巻き付ける。その後、ユーザは、別部材の固定バンド等を用いて、防食スリーブの位置を固定するようにしている。
【０００５】
特許文献１〜特許文献３には、上記のような防食スリーブが開示されている。
【先行技術文献】
【特許文献】
【０００６】
【特許文献１】特開２０１１−１１７５７２号公報
【特許文献２】特開２００８−８９０１０号公報
【特許文献３】特開２００６−４６４３５号公報
【発明の概要】
【発明が解決しようとする課題】
【０００７】
防食スリーブの施工に関しては、被包管の継手部等の結合部では、防食スリーブで被包管を覆う前に配管完了状況を確認するための工事写真を撮影する必要がある。そのため、工事写真を撮影し終えるまでは、防食スリーブを被包管の端の方に寄せておく必要がある。しかしながら、被包管の結合部では、被包管の基礎を平滑にするために、枕木を並べる処置をしている。そのため、工事写真の撮影後に被包管の結合部全体を防食スリーブで覆うことは非常に困難な作業であった。
【０００８】
そこで、本発明は、上述した事情に鑑みてなされたものであり、被包管の結合部等に防食スリーブを巻き付ける作業［新設の鋳鉄管、塩ビ管、PE管等（被包管）に防食スリーブを巻き付ける場合、既設の鋳鉄管（被包管）を除去し新設の鋳鉄管（被包管）に防食スリーブを巻き付ける場合等］の作業性の向上を可能とする防食スリーブを提供することを目的とする。
【課題を解決するための手段】
【０００９】
上記課題を解決するために、本発明では、内部を流体が通過可能な被包管の外側表面を包む防食スリーブであって、防食スリーブは、水分を透過しない材料で形成され、防食スリーブには、他の部分よりも分割が容易な分割部が形成され、分割部は、被包管の延在する方向に延在する様に形成されていることを特徴とする。
【００１０】
また、好適には、防食スリーブには、互いが接合していない離間部が形成されており、離間部は、被包管の延在する方向に延在するように形成されている。
【００１１】
また、好適には、分割部と離間部とは、被包管の延在する方向に連続して形成されている。
【００１２】
また、本発明では、内部を流体が通過可能な被包管の外側表面を包む防食スリーブであって、防食スリーブは、水分を透過しない材料で形成され、防食スリーブには、互いが接合していない離間部が形成されており、離間部は、被包管の延在する方向に伸びていることを特徴とする。
【００１３】
また、好適には、防食スリーブは、防食スリーブを広げた際の周方向の半周分の長さよりも、短くなるような幅となる形状に形成されている。
【００１４】
また、好適には、防食スリーブには、折り目が形成されており、折り目において折りたたむことによって、防食スリーブを広げた際の周方向の半周分の長さよりも、短くなるような幅となる形状に形成されている。
【００１５】
また、好適には、被包管を防食スリーブによって包み込む際に互いの端側の部分を密接して、水の浸入を防止することが可能な密接部を有する。
【００１６】
また、好適には、密接部による密接は、ファスナー、面ファスナー、両面テープ、接着剤、マグネット等によってなされる。
【発明の効果】
【００１７】
本発明によれば、被包管の結合部等に防食スリーブを巻き付ける作業（新設の鋳鉄管（被包管）に防食スリーブを巻き付ける場合、既設の鋳鉄管（被包管）を除去し新設の鋳鉄管（被包管）に防食スリーブを巻き付ける場合等）の作業性の向上を可能とする防食スリーブを提供する事が可能となる。
【図面の簡単な説明】
【００１８】
【図１】本発明の第１実施形態に係る防食スリーブ１０の構造を説明する説明図であり、（ａ）は、防食スリーブ１０の正面図であり、（ｂ）は、防食スリーブのＡ−Ａ断面図である。
【図２】防食スリーブ１０を分割部１１で分割して広げた際の断面図である。
【図３】防食スリーブ１０を販売するときの状態を示す図である。
【図４】防食スリーブ１０を被包管の接合部の下に設置した状態を示す上から見た図である。
【図５】本発明の実施形態に係る防食スリーブ１０の構造を説明する説明図であり、（ａ）は、図４のＢ−Ｂ断面図であり、（ｂ）はＣ-Ｃ断面図である。
【図６】防食スリーブ１０を被包管の接合部に設置した状態を示す図である。
【図７】防食スリーブ１０を被包管の接合部に設置した状態を示す上から見た図である。
【図８】本発明の実施形態に係る別の防食スリーブ５０の構造を説明する説明図であり、（ａ）は、防食スリーブ５０の正面図であり、（ｂ）は、防食スリーブのＡ−Ａ断面図である。
【図９】本発明の第２実施形態に係る防食スリーブ６０の構造を説明する説明図であり、（ａ）は、防食スリーブ６０の正面図であり、（ｂ）は、防食スリーブのＩ−Ｉ断面図である。
【図１０】本発明の第３実施形態に係る防食スリーブ７０の構造を説明する説明図であり、（ａ）は、防食スリーブ７０の正面図であり、（ｂ）は、防食スリーブのＪ−Ｊ断面図である。
【発明を実施するための形態】
【００１９】
＜本発明の第１実施形態＞
図１は、本発明の第１実施形態に係る防食スリーブ１０の構造を説明する説明図である。図１（ａ）は、防食スリーブ１０の正面図であり、図１（ｂ）は、防食スリーブのＡ−Ａ断面図である。図２は、防食スリーブ１０を分割部１１で分割して広げた際の断面図である。
【００２０】
図１のように、防食スリーブ１０は、内部を流体が通過可能な被包管の外側表面を包む防食スリーブである。防食スリーブ１０は、ポリエチレンなど水分を透過しない材料で形成されている。防食スリーブ１０には、他の部分よりも分割が容易な分割部１１が形成され、分割部１１は、防食スリーブ１０の周方向に対して直角方向に延在する様に形成されている。
【００２１】
防食スリーブ１０は、防食スリーブ１０を広げた際の周方向の半周分の長さよりも、短くなるような幅となる形状に形成されている。そのために、防食スリーブ１０には、３つ以上の第１左山折り目１２、第１左谷折り目１３、第２左山折り目１４、第１右山折り目１５、第１右谷折り目１６、第２右山折り目１７が形成されており、第１左山折り目１２、第１左谷折り目１３、第２左山折り目１４、第１右山折り目１５、第１右谷折り目１６、第２右山折り目１７において折りたたむことによって、防食スリーブ１０を広げた際の周方向の半周分の長さよりも、短くなるような幅となる形状に形成されている。すなわち、防食スリーブ１０を広げると図２に示されるような断面となり、その周方向の長さは分割部１１で示す両端の間の長さになる。分割部１１で示す両端部の中点をＭとすると、周方向の半周分の長さは、分割部１１と符号Ｍで示す箇所を結んだ線分の長さとなる。防食スリーブ１０の図１（ｂ）で示す状態での幅は、第２左山折り目１４と第２右山折り目１７を結んだ線分の長さであり、また、それは、分割部１１と第１左山折り目１２の箇所を結んだ線分の長さと第２左山折り目１４と符号Ｍを結んだ線分の長さを足した長さに等しい。この長さは、周方向の半周分の長さよりも第１左山折り目１２と第２左山折り目１４を結んだ線分の長さ分短い。
【００２２】
被包管を防食スリーブ１０によって包み込む際に互いの端側の部分を密接して、水の浸入を防止することが可能な左密接部１８ａ、右密接部１８ｂを有する。左密接部１８ａ、右密接部１８ｂは、本実施形態ではファスナーで形成されている。なお、密接部による密接は、ファスナー以外に、面ファスナー、両面テープ、接着剤、マグネットによってなされてもよい。さらになお、密接部は単に互いの端部の部分を重ね合わせて、テープ等で被包管の周方向に数回巻くことによって、互いの端部を密接させるものであってもよい。つまり、密接部は、互いの端部を密接させて、水が被包管へ浸入しないようにする機能を有するものであれば、どのようなものであっても良い。また、防食スリーブ１０には、口径表示１９が形成されている。口径表示１９は、防食スリーブ１０に印刷されてもよく、販売時および／または使用時に表面から視認できる。図中、左密接部１８ａ、右密接部１８ｂ、口径表示１９は一定の厚さを持って記載しているが、実際には、厚みがない場合もありうる（特に口径表示１９）。
【００２３】
図３は、防食スリーブ１０を販売するときの状態を示す図である。まず、図３（ａ）で示すように防食スリーブ１０を折り目Ｅ，Ｆで三つ折りにし、図３（ｂ）で示す状態１０Ａにし、次に、図３（ｂ）で示すように、折り目Ｇ，Ｈで三つ折りにし、図３（ｃ）で示す状態１０Ｂにして販売する。これにより、防食スリーブ１０を状態１０Ｂで示すようにコンパクトにして販売することができる。つまり、販売および搬送および取り付け作業の際に、持ち運びやすくするために、長手方向にコンパクト化したいという要求にも応えられる。
【００２４】
次に、本実施形態に係る防食スリーブ１０の使用方法を、図４〜図７を用いて説明する。
【００２５】
図４は、防食スリーブ１０を被包管の接合部の下に設置した状態を示す上から見た図である。図５は、図１bの防食スリーブ１０を１８０度、時計または反時計回りに回転させた状態となっている。図５（ａ）は図４のＢ−Ｂ断面図であり、図５（ｂ）は図４のＣ−Ｃ断面図である。図４と図５において、第１被包管２０、第２被包管２１は、接合被包管２２を介して第１継手部２３、第２継手部２４によって結合することにより結合部２５が形成されている。結合部２５の下には、地面との間に結合部２５の基礎を平滑にするために、第１枕木２６、第２枕木２７を並べている。防食スリーブ１０は、分割部１１が地面側に位置するように結合部２５と地面の間に設置されている。このとき、分割部１１は、第１枕木２６があるところでは、図５（ａ）で示すように、第１枕木２６の左右の端部に右端部Ｃと左端部Ｄがそれぞれくるように設置される。第２枕木２７があるところでも同様である。枕木がないところでは、図５（ｂ）で示すように分割部１１は分割されない状態のまま設置される。
【００２６】
図４と図５で示した状態で、第１被包管２０、第２被包管２１、接合被包管２２の結合を行い、結合を完了させ、配管完了状況を確認するための工事写真を撮影する。
【００２７】
その後、例えば枕木のないところの防食スリーブ１０の第１左山折り目１２、第１右山折り目１５を引っ張ることにより分割部１１で右端部Ｃと左端部Ｄに分割する。そして、図６の防食スリーブ１０を被包管の接合部に設置した状態を示す図で示すように、右端部Ｃと左端部Ｄを上に上げ防食スリーブ１０で第１被包管２０、第２被包管２１、接合被包管２２を包むようにする。防食スリーブ１０で第１被包管２０、第２被包管２１、接合被包管２２を包んだ後、左密接部１８ａ、右密接部１８ｂによる密接を行う。図６で示される密接部は、ファスナーであるが、ファスナー以外に面ファスナー、両面テープ、接着剤、マグネットによってなされてもよい。このとき、口径表示１９が表に見えるように設置される。また、図７の防食スリーブ１０を被包管の接合部に設置した状態を示す上から見た図で示すように、防食スリーブ１０をゴムバンドなどの第１固定バンド３０、第２固定バンド３１、第３固定バンド３２、第４固定バンド３３によって固定する。なお、本実施形態では、密接部に加え、バンドによって固定しているが、変形例では、ファスナー等を設けず、単にバンドのみによって水分の浸入を防止する密接部を形成することもできる。
【００２８】
上記のように、防食スリーブ１０の施工のときに、被包管の継手部等の結合部２５では、防食スリーブ１０で被包管を覆う前に配管完了状況を確認するための工事写真を撮影する必要があるが、工事写真を撮影し終えるまでは、防食スリーブ１０を被包管の端の方に寄せておく必要がなく、工事写真の撮影後に被包管の結合部全体を防食スリーブ１０で容易に覆うことができる。
【００２９】
したがって、上記のように本実施形態によれば、被包管の結合部２５等に防食スリーブ１０を巻き付ける作業［新設の鋳鉄管（被包管）に防食スリーブを巻き付ける場合、既設の鋳鉄管（被包管）を除去し新設の鋳鉄管（被包管）に防食スリーブを巻き付ける場合等］の作業性の向上を可能とする防食スリーブ１０を提供する事が可能となる。
【００３０】
なお、防食スリーブ１０は、分割部１１だけを有するが、それに限らず、図８の本発明の実施形態に係る別の防食スリーブ５０の構造を説明する説明図に示すように、防食スリーブ５０に、互いが接合していない離間部４０が形成されており、離間部４０が、被包管の延在する方向に延在するように形成されているようにしてもよい。分割部１１と離間部４０とは、被包管の延在する方向に連続して形成されている。内部を流体が通過可能な被包管の外側表面を包む防食スリーブ５０であって、防食スリーブ５０は、水分を透過しない材料で形成され、防食スリーブ５０には、互いが接合していない離間部４０が形成されており、離間部４０は、被包管の延在する方向に伸びている。なお、分割部１１と離間部４０は、防食スリーブの周方向に対して直角方向に延在するように形成されているようにしてもよい。また、分割部１１と離間部４０とは、防食スリーブの周方向に対して直角方向に連続して形成されてもよい。
【００３１】
また、防食スリーブ１０の折り目は、第１左山折り目１２、第１左谷折り目１３、第２左山折り目１４、第１右山折り目１５、第１右谷折り目１６、第２右山折り目１７の６個であるが、それに限らず、折り目を６個以上にしてもよい。
【００３２】
＜本発明の第２実施形態＞
図９は、本発明の第２実施形態に係る防食スリーブ６０の構造を説明する説明図である。図９（ａ）は、防食スリーブ６０の正面図であり、図９（ｂ）は、防食スリーブのＩ−Ｉ断面図である。
【００３３】
図９のように、防食スリーブ６０は、内部を流体が通過可能な被包管の外側表面を包む防食スリーブである。防食スリーブ６０は、ポリエチレンなど水分を透過しない材料で形成されている。防食スリーブ６０には、他の部分よりも分割が容易な分割部６１が形成され、分割部６１は、防食スリーブ６０の周方向に対して直角方向に延在する様に形成されている。
【００３４】
防食スリーブ６０は、防食スリーブ６０を広げた際の周方向の半周分の長さよりも、短くなるような幅となる形状に形成されている。そのために、防食スリーブ６０には、３つ以上の第３左山折り目６２、第３左谷折り目６３、第４左山折り目６４、第３右山折り目６５、第３右谷折り目６６、第４右山折り目６７が形成されており、第３左山折り目６２、第３左谷折り目６３、第４左山折り目６４、第３右山折り目６５、第３右谷折り目６６、第４右山折り目６７において折りたたむことによって、防食スリーブ６０を広げた際の周方向の半周分の長さよりも、短くなるような幅となる形状に形成されている。
【００３５】
この第２実施形態に係る防食スリーブ６０では、第１実施形態に係る防食スリーブ１０と異なり、第３左山折り目６２と第３左谷折り目６３の間隔と、第３左谷折り目６３と第４左山折り目６４の間隔が、第３右山折り目６５と第３右谷折り目６６の間隔と、第３右谷折り目６６と第４右山折り目６７の間隔より長くなるように形成されている。また、分割部６１と第３左山折り目６２との間隔の方が、分割部６１と第３右山折り目６５との間隔よりも長くなるように形成されている。
【００３６】
防食スリーブ６０を設置するときに、分割部６１が、管の真下にくるように設置する。この際、防食スリーブ６０を開いたときの左右の長さが異なるようにしたいため、分割部６１を中央真下に置くことが好ましい。
【００３７】
また、防食スリーブ６０は、被包管を防食スリーブ６０によって包み込む際に互いの端側の部分を密接して、水の浸入を防止することが可能な左密接部６８ａ、右密接部６８ｂを有する。左密接部６８ａ、右密接部６８ｂは、ファスナーで形成されている。なお、密接部による密接は、ファスナー以外に、面ファスナー、両面テープ、接着剤、マグネットによってなされてもよい。また、防食スリーブ６０には、口径表示６９が形成されている。
【００３８】
＜本発明の第３実施形態＞
図１０は、本発明の第３実施形態に係る防食スリーブ７０の構造を説明する説明図である。図１０（ａ）は、防食スリーブ７０の正面図であり、図１０（ｂ）は、防食スリーブのＪ−Ｊ断面図である。
【００３９】
図１０のように、防食スリーブ７０は、内部を流体が通過可能な被包管の外側表面を包む防食スリーブである。防食スリーブ７０は、ポリエチレンなど水分を透過しない材料で形成されている。
【００４０】
防食スリーブ７０は、防食スリーブ７０を広げた際の周方向の半周分の長さよりも、短くなるような幅となる形状に形成されている。そのために、防食スリーブ７０には、左端部７１、右端部７２の間に３つ以上の第５左谷折り目７３、第６左山折り目７４、第６左谷折り目７５、第７左山折り目７６、第７右山折り目７７、第６右谷折り目７８が形成されており、第５左谷折り目７３、第６左山折り目７４、第６左谷折り目７５、第７左山折り目７６、第７右山折り目７７、第６右谷折り目７８において折りたたむことによって、防食スリーブ７０を広げた際の周方向の半周分の長さよりも、短くなるような幅となる形状に形成されている。
【００４１】
被包管を防食スリーブ７０によって包み込む際に互いの端側の部分を密接して、水の浸入を防止することが可能な左密接部７９ａ、右密接部７９ｂを有する。左密接部７９ａ、右密接部７９ｂは、ファスナーで形成されている。なお、密接部による密接は、ファスナー以外に、面ファスナー、両面テープ、接着剤、マグネットによってなされてもよい。また、防食スリーブ７０には、口径表示８０が形成されている。
【００４２】
上記のように、第３実施形態に係る防食スリーブ７０は、分割部がなく、左端部７１、右端部７２が分離しているので、防食スリーブ７０を設置するときに分割の手間をはぶくことができる。
【００４３】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【００４４】
＜定義部＞
密接部は、互いの端部を密接させて、水が被包管へ浸入しないようにする機能を有するものであれば、どのようなものであっても良い。例えば、密接部は単に互いの端部の部分を重ね合わせて、テープ等で被包管の周方向に数回巻くことによって、互いの端部を密接させるものであってもよい。
【産業上の利用可能性】
【００４５】
本発明の防食スリーブは、地中に埋設される水道管等の浸食対策として、当該水道管等の外表面に巻き付けられる防食スリーブとして利用することができる。
【符号の説明】
【００４６】
１０      防食スリーブ
１１      分割部
１２      第１左山折り目
１３      第１左谷折り目
１４      第２左山折り目
１５      第１右山折り目
１６      第１右谷折り目
１７      第２右山折り目
１８ａ    左密接部
１８ｂ    右密接部
２０      第１被包管
２１      第２被包管
２２      接合被包管
２３      第１継手部
２４      第２継手部
２５      結合部
２６      第１枕木
２７      第２枕木
３０      第１固定バンド
３１      第２固定バンド
３２      第３固定バンド
３３      第４固定バンド
５０      防食スリーブ
６０      防食スリーブ
７０      防食スリーブ
【図１】
2015117710.tif 000003
【図２】
2015117710.tif 000004
【図３】
2015117710.tif 000005
【図４】
2015117710.tif 000006
【図５】
2015117710.tif 000007
【図６】
2015117710.tif 000008
【図７】
2015117710.tif 000009
【図８】
2015117710.tif 000010
【図９】
2015117710.tif 000011
【図１０】
2015117710.tif 000012